(57)【要約】【課題】接着シートを貼着対象の壁面から剥離する際に、フック本体が邪魔とならず、接着シートの変形や破断を無くして、女性や子供でも接着シートの剥離動作を簡単に行うことができる自己粘着式フックを提供する。【解決手段】表面の下端部にフック片２２が一体的に設けられたフック本体２の裏面を貼着対象の壁面に対し自己粘着により離着自在に貼着する自己粘着式フック１として、フック本体２の裏面に、この裏面に表面が接着されたアクリルフォーム粘着層とこのアクリルフォーム粘着層の裏面に表面が接着されたポリウレタン自己粘着層とを有する接着シート３を設ける。そして、接着シート３は、フック本体２の裏面に対しその上下左右の周縁に非貼着な非貼着部位２０１〜２０４を存した状態で貼着されるとともに、下端部に貼着対象の壁面に対し非粘着となる糊殺し部３４を備えている。【選択図】図４
2016002403.tif 000002
【特許請求の範囲】
【請求項１】
表面の下端部にフック片が一体的に設けられたフック本体の裏面を貼着対象の壁面に対し自己粘着により離着自在に貼着する自己粘着式フックであって、
前記フック本体の裏面には、この裏面に表面が接着されたアクリルフォーム粘着層とこのアクリルフォーム粘着層の裏面に表面が接着されたポリウレタン自己粘着層とを有する接着シートが設けられており、
前記接着シートは、前記フック本体の裏面に対しその上下左右の周縁に非貼着な非貼着部位を存した状態で貼着されているとともに、下端部に前記貼着対象の壁面に対し非粘着となる糊殺し部を備えていることを特徴とする自己粘着式フック。
【請求項２】
前記フック本体の裏面の下側縁の非貼着部位には、突起が設けられ、この突起は、前記貼着対象の壁面に対し前記接着シートを貼着する際の圧着により圧縮した当該接着シートの層厚と一致する突出量に設定されている請求項１に記載の自己粘着式フック。
【請求項３】
前記接着シートの上下方向の全長は、前記フック本体の裏面の上下方向の全長の５５〜７５％の範囲に設定されている請求項１又は請求項２に記載の自己粘着式フック。
【請求項４】
前記フック本体の裏面の下側縁の非貼着部位の上下方向の長さは、そのフック本体の裏面の上下方向の全長の２２〜３６％の範囲に設定されている請求項１〜請求項３のいずれか１つに記載の自己粘着式フック。
【請求項５】
前記接着シートの糊殺し部の上下方向の長さは、当該接着シートの左右方向の幅の１０〜２５％の範囲に設定されている請求項１〜請求項４のいずれか１つに記載の自己粘着式フック。
【請求項６】
前記接着シートは、左右方向で複数に分割され、その互いに隣接する分割片同士の間において上下方向へ連続する隙間を存した状態で前記フック本体の裏面に対し貼着されている請求項１〜請求項５のいずれか１つに記載の自己粘着式フック。
【請求項７】
前記フック本体の裏面の上側縁の非貼着部位の上下方向の長さは、そのフック本体の裏面の上下方向の全長の３〜６％の範囲に設定されている請求項１〜請求項６のいずれか１つに記載の自己粘着式フック。
【発明の詳細な説明】
【技術分野】
【０００１】
本発明は、表面の下端部にフック片が一体的に設けられたフック本体の裏面を貼着対象の壁面に対し自己粘着により離着自在に貼着する自己粘着式フックに関する。
【背景技術】
【０００２】
従来より、この種の自己粘着式フックとしては、表面の下端部にフック片が一体的に設けられたフック本体の裏面に、ＰＥＴフィルム層を介してペースト層が複合された接着シートを設けたものが知られている（特許文献１参照）。そして、フック本体の裏面は、鏡面のように凹凸のない壁面に対し接着シートを介して自己粘着させることによって離着自在に貼着される。この場合、接着シートは、貼着対象の壁面に対する粘着性を確保する上で、フック本体の裏面全域よりも大きな矩形状の表面積に形成されている。
【０００３】
また、その他の自己粘着式フックとして、フック本体の裏面に、その全域をすべて覆う矩形状の接着シートを設けたものもある。
【先行技術文献】
【特許文献】
【０００４】
【特許文献１】実登３１８２０７８号公報
【発明の概要】
【発明が解決しようとする課題】
【０００５】
ところで、自己粘着式フックを貼着対象の壁面から剥離する場合、接着シートの剥離を誘起する動作を当該接着シートの角部から行うのが一般的である。
【０００６】
しかし、フック本体と接着シートとは互いの材質の差異によって硬さが異なっているため、接着シートの角部から剥離し始める動作を行おうとしても、その剥離動作がフック本体の固さによって阻まれて円滑に行えない。そのため、接着シートの角部からの剥離動作では、当該接着シートの剥離を誘起する動作の起点とはなり得ず、接着シートに無理な力が掛かって変形したり破断したりするおそれがある。これでは、女性や子供にとって接着シートの剥離動作を簡単に行うことができない。
【０００７】
本発明は、かかる点に鑑みてなされたものであり、その目的とするところは、接着シートを貼着対象の壁面から剥離する際に、フック本体が邪魔とならず、接着シートの変形や破断を無くして、女性や子供でも接着シートの剥離動作を簡単に行うことができる自己粘着式フックを提供することにある。
【課題を解決するための手段】
【０００８】
上記目的を達成するため、本発明では、表面の下端部にフック片が一体的に設けられたフック本体の裏面を貼着対象の壁面に対し自己粘着により離着自在に貼着する自己粘着式フックを前提とする。更に、前記フック本体の裏面に、この裏面に表面が接着されたアクリルフォーム粘着層とこのアクリルフォーム粘着層の裏面に表面が接着されたポリウレタン自己粘着層とを有する接着シートを設けている。そして、前記接着シートは、前記フック本体の裏面に対しその上下左右の周縁に非貼着な非貼着部位を存した状態で貼着されるとともに、下端部に前記貼着対象の壁面に対し非粘着となる糊殺し部を備えることを特徴としている。
【０００９】
また、前記フック本体の裏面の下側縁の非貼着部位に、突起を設け、この突起は、前記貼着対象の壁面に対し前記接着シートを貼着する際の圧着により圧縮した当該接着シートの層厚と一致する突出量に設定されていることが好ましい。
【００１０】
また、前記接着シートの上下方向の全長は、前記フック本体の裏面の上下方向の全長の５５〜７５％の範囲に設定されていることが好ましい。
【００１１】
また、前記フック本体の裏面の下側縁の非貼着部位の上下方向の長さは、そのフック本体の裏面の上下方向の全長の２２〜３６％の範囲に設定されていることが好ましい。
【００１２】
また、前記接着シートの糊殺し部の上下方向の長さは、当該接着シートの左右方向の幅の１０〜２５％の範囲に設定されていることが好ましい。
【００１３】
また、前記接着シートは、左右方向で複数に分割され、その互いに隣接する分割片同士の間において上下方向へ連続する隙間を存した状態で前記フック本体の裏面に対し貼着されていることが好ましい。
【００１４】
更に、前記フック本体の裏面の上側縁の非貼着部位の上下方向の長さは、そのフック本体の裏面の上下方向の全長の３〜６％の範囲に設定されていることが好ましい。
【発明の効果】
【００１５】
以上、要するに、フック本体の裏面に対しその上下左右の周縁に非貼着部位を存して接着シートを貼着するとともに、この接着シートの下端部に貼着対象の壁面に対し非粘着となる糊殺し部を設けることで、接着シートを貼着対象の壁面から剥離する際にフック本体を把持して引っ張れば、接着シートの下端部の糊殺し部により接着シートの下端部が壁面から容易に浮き上がって、接着シートの剥離を誘起する動作の起点となり、接着シートの剥離動作がフック本体に阻まれることなくスムーズに行える。これにより、接着シートの糊殺し部から剥離し始めた剥離動作が接着シートの全体に伝播し易いものとなり、接着シートの変形や破断を無くして、女性や子供でも接着シートの剥離動作を簡単に行うことができる。
しかも、フック本体の裏面に対しその上下左右の周縁に非貼着部位を存して接着シートを貼着していることにより、接着シートを壁面から剥離する際に、接着シートの貼着力を軽減させて剥離動作をスムーズに行うことができる上、フック本体の裏面に対する接着シートの貼着面積も十分に確保されてフック本体の裏面からの接着シートの千切れなども抑制できる。
【００１６】
また、フック本体の裏面の下側縁の非貼着部位に、壁面に対し接着シートを貼着する際の圧着により圧縮した当該接着シートの層厚と一致する突出量の突起を設けることで、壁面に接着シートを貼着する際に当該接着シートの圧縮が突起の突出量によって規制されることがなく、接着シートを壁面に対し確実に圧着させて貼着力を十分に発揮させることができる。しかも、フック片に係止した係止物から作用する荷重によってフック本体の下端部を貼着対象の壁面側に接近させて当該フック本体の上端部を浮き上がらせようとしても、係止物からの荷重がフック本体の下端部の突起によって壁面との間で支えられ、フック本体の上端部の浮き上がりによる接着シートの剥がれを確実に防止することができる。
【００１７】
また、接着シートの上下方向の全長をフック本体の裏面の上下方向の全長の５５〜７５％の範囲に設定することで、貼着対象の壁面に対する接着シートの貼着力を確保しつつ接着シートの変形や破断を確実に無くして、女性や子供でも接着シートの剥離動作をより簡単に行うことができる。しかも、フック本体の上下方向から接着シートが見え難くなり、商品としての見栄えや機能性も向上させることができる。
【００１８】
また、フック本体の裏面の下側縁の非貼着部位の上下方向の長さをそのフック本体の裏面の上下方向の全長の２２〜３６％の範囲に設定することで、接着シートを貼着対象の壁面から剥離する際にフック本体を把持して引っ張れば、接着シートの剥離を誘起する動作の起点となり易く、接着シートの剥離動作をより円滑に行うことができる。
【００１９】
また、接着シートの糊殺し部の上下方向の長さを当該接着シートの左右方向の幅の１０〜２５％の範囲に設定することで、接着シートを貼着対象の壁面から剥離する際にフック本体を把持して引っ張れば、接着シートの下端部の糊殺し部が接着シートの剥離を誘起する動作の起点となって、接着シートの剥離動作がその左右方向の幅に確実に伝播し易いものとなり、接着シートの剥離動作をさらにスムーズに行うことができる。しかも、フック本体の左右方向から接着シートが見え難くなり、商品としての見栄えや機能性も向上させることができる。
【００２０】
また、複数に分割した接着シートの分割片を、その互いに左右方向で隣接する分割片同士の間において上下方向へ連続する隙間を存した状態でフック本体の裏面に対し貼着することで、接着シートを貼着対象の壁面から剥離する際にフック本体を把持して引っ張れば、各分割片の下端部の糊殺し部が当該各分割片の剥離を誘起する動作の起点となって、各分割片の剥離動作がそれぞれ分割された左右方向の幅に確実に伝播し易いものとなり、接着シートの剥離動作をより一層スムーズに行うことができる。
【００２１】
更に、フック本体の裏面の上側縁の非貼着部位の上下方向の長さを、そのフック本体の裏面の上下方向の全長の３〜６％の範囲に設定することで、フック本体の上方から接着シートが見え難くなり、商品としての見栄えや機能性も向上させることができる。
【図面の簡単な説明】
【００２２】
【図１】本発明の第１の実施の形態に係る自己粘着式フックの斜視図である。
【図２】図１の自己粘着式フックの正面図である。
【図３】図１の自己粘着式フックの平面図である。
【図４】図１の自己粘着式フックの背面図である。
【図５】図１の自己粘着式フックの側面図である。
【図６】図５の自己粘着式フックの接着シートの一部を切り欠いた断面図である。
【図７】第１の実施の形態の変形例に係る自己粘着式フックの斜視図である。
【図８】図７の自己粘着式フックの背面図である。
【図９】本発明の第２の実施の形態に係る自己粘着式フックの斜視図である。
【図１０】図９の自己粘着式フックの正面図である。
【図１１】図９の自己粘着式フックの平面図である。
【図１２】図９の自己粘着式フックの背面図である。
【図１３】図９の自己粘着式フックの側面図である。
【図１４】第２の実施の形態の変形例に係る自己粘着式フックの斜視図である。
【図１５】図１４の自己粘着式フックの背面図である。
【発明を実施するための形態】
【００２３】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２４】
図１は本発明の第１の実施の形態に係る自己粘着式フックの斜視図、図２は自己粘着式フックの正面図、図３は自己粘着式フックの平面図、図４は自己粘着式フックの背面図、図５は自己粘着式フックの側面図をそれぞれ示している。
【００２５】
図１〜図５において、１は本発明の第１の実施の形態に係る自己粘着式フックであって、この自己粘着式フック１は、比較的軽量な空のバッグの取手やキーホルダなどを係止するフック本体２と、このフック本体２の裏面に取り付けられた接着シート３とを備えている。フック本体２は、垂直面と平行な板状のベース基板２１と、このベース基板２１の下端中央位置から前方へ突出したのちに斜め上向きに突出するフック片２２とを備えている。ベース基板２１とフック片２２とは、ＡＢＳ樹脂を素材にして一体成形されている。
【００２６】
図６は自己粘着式フック１の接着シート３の一部を切り欠いた断面図を示している。この図６において、接着シート３は、フック本体２の裏面に表面が接着されたアクリルフォーム粘着層３１と、このアクリルフォーム粘着層３１の裏面に表面が接着されたポリウレタン自己粘着層３２とを備えている。また、アクリルフォーム粘着層３１とポリウレタン自己粘着層３２との間には、飽和ポリエステル樹脂層３３が介在され、両層３１，３２同士の間での互いの接合強度を高めている。そして、接着シート３は、ポリウレタン自己粘着層３２によって、鏡面のような凹凸のない壁面Ｗ１に対し離着自在に繰り返し貼着される。接着シート３の裏面には、図示しない剥離紙が接着されている。この剥離紙は、紙製のものであり、接着シート３の裏面に接着される面にポリエチレン製の膜（図示せず）が貼り付けられて接着シート３の裏面に対する剥離性を高めている。この場合、ポリウレタン自己粘着層３２の裏面に汚れやゴミなどが付着したときは、水などで洗浄することで粘着性が復活する。
【００２７】
接着シート３は、フック本体２の裏面に対しその上下左右の周縁にそれぞれ非貼着部位２０１，２０２，２０３，２０４を存した状態、つまり上下左右の周縁の非貼着部位２０１〜２０４を除いた位置に貼着されている。また、接着シート３の下端部には、貼着対象Ｗの壁面Ｗ１に対し非貼着となる糊殺し部３４が設けられている。この場合、糊殺し部３４は、ポリウレタン自己粘着層３２の下端部に対しＯＰＰフィルム（二軸延伸ポリプロピレンフィルム）を貼り合わせすることによって非粘着に処理している。
【００２８】
そして、図４に示すように、フック本体２の裏面の上下方向の全長Ｌは４７ｍｍに、左右方向の幅Ｓは２０ｍｍにそれぞれ設定されている。また、接着シール３の上下方向の全長Ｍは３３ｍｍに、左右方向の幅Ｎは１７ｍｍにそれぞれ設定されている。
【００２９】
フック本体２の裏面における上下左右の周縁の非貼着部位２０１，２０２，２０３，２０４のうち、上側縁の非貼着部位２０１の上下方向の長さＡは、１．５ｍｍに設定され、フック本体２の裏面の上下方向の全長Ｌの約３．２％を占めている。また、接着シート３の上下方向の全長Ｍは、フック本体２の裏面の上下方向の全長Ｌの約７０％を占めている。また、フック本体２の裏面の下側縁の非貼着部位２０２の上下方向の長さＢは、１２．５ｍｍに設定され、フック本体２の裏面の上下方向の全長Ｌの約２７％を占めている。更に、接着シート３の糊殺し部３４の上下方向の長さＸは、２ｍｍに設定され、当該接着シート３の左右方向の幅Ｎの約１２％を占めている。なお、フック本体２の裏面の左右両側縁の非貼着部位２０３，２０４の左右方向の幅Ｃは、それぞれ１．５ｍｍに設定されている。
【００３０】
また、フック本体２の裏面の下側縁の非貼着部位２０２には、左右方向へ直線状に延びる突起２３が設けられている。この突起２３は、貼着対象Ｗの壁面Ｗ１に対し接着シート３を貼着する際の圧着により圧縮した当該接着シート３の層厚と一致する突出量に設定されている。
【００３１】
したがって、本実施の形態では、フック本体２の裏面に対しその上下左右の周縁に非貼着部位２０１〜２０４を存して接着シート３が貼着されているとともに、この接着シート３の下端部に貼着対象Ｗの壁面Ｗ１に対し非粘着となる糊殺し部３４が設けられているので、接着シート３を貼着対象Ｗの壁面Ｗ１から剥離する際にフック本体２のフック片２２を把持して引っ張れば、接着シート３の下端部の糊殺し部３４により接着シート３の下端部が壁面Ｗ１から容易に浮き上がって、接着シート３の剥離を誘起する動作の起点となり、接着シート３の剥離動作がフック本体２に阻まれることなくスムーズに行える。これにより、接着シート３の糊殺し部３４から剥離し始めた剥離動作が接着シート３の全体に伝播し易いものとなり、接着シート３の変形や破断を無くして、女性や子供でも接着シート３の剥離動作を簡単に行うことができる。
【００３２】
しかも、フック本体２の裏面に対しその上下左右の周縁に非貼着部位２０１〜２０４を存して接着シート３を貼着していることにより、接着シート３を壁面Ｗ１から剥離する際に、接着シート３の貼着力を軽減させて剥離動作をスムーズに行うことができる上、フック本体２の裏面に対する接着シート３の貼着面積も十分に確保されてフック本体２の裏面からの接着シート３の千切れなども抑制できる。
【００３３】
また、フック本体２の裏面の下側縁の非貼着部位２０２に、壁面Ｗ１に対し接着シート３を貼着する際の圧着により圧縮した当該接着シート３の層厚と一致する突出量の突起２３が設けられているので、壁面Ｗ１に接着シート３を貼着する際に当該接着シート３の圧縮が突起２３の突出量によって規制されることがなく、接着シート３を壁面Ｗ１に対し確実に圧着させて貼着力を十分に発揮させることができる。しかも、フック本体２に係止した係止物から作用する荷重によってフック本体２の下端部を貼着対象Ｗの壁面Ｗ１側に接近させて当該フック本体２の上端部を浮き上がらせようとしても、係止物からの荷重がフック本体２の下端部の突起３５によって壁面Ｗとの間で支えられ、フック本体２の上端部の浮き上がりによる接着シート３の剥がれを確実に防止することができる。
【００３４】
また、上側縁の非貼着部位２０１の上下方向の長さＡが、１．５ｍｍに設定され、フック本体２の裏面の上下方向の全長Ｌの約３．２％を占めているので、フック本体３の上方から接着シート３が見え難くなり、商品としての見栄えや機能性も向上させることができる。
【００３５】
また、接着シート３の上下方向の全長Ｍが、３３ｍｍに設定され、フック本体２の裏面の上下方向の全長Ｌの約７０％を占めているので、貼着対象Ｗの壁面Ｗ１に対する接着シート３の貼着力を確保しつつ接着シート３の変形や破断を確実に無くして、女性や子供でも接着シート３の剥離動作をより簡単に行うことができる。しかも、フック本体２の上下方向から接着シート３が見え難くなり、商品としての見栄えや機能性も向上させることができる。
【００３６】
また、フック本体２の裏面の下側縁の非貼着部位２０２の上下方向の長さＢが、１２．５ｍｍに設定され、フック本体２の裏面の上下方向の全長Ｌの約２７％を占めているので、接着シート３を貼着対象Ｗの壁面Ｗ１から剥離する際にフック本体２のフック片２２を把持して引っ張れば、接着シート３の剥離を誘起する動作の起点となり易く、接着シート３の剥離動作をより円滑に行うことができる。
【００３７】
更に、接着シート３の糊殺し部３４の上下方向の長さＸが、２ｍｍに設定され、当該接着シート３の左右方向の幅Ｎの約１２％を占めているので、接着シート３を貼着対象Ｗの壁面Ｗ１から剥離する際にフック本体２のフック片２２を把持して引っ張れば、接着シート３の下端部の糊殺し部３４が接着シート３の剥離を誘起する動作の起点となって、接着シート３の剥離動作がその左右方向の幅に確実に伝播し易いものとなり、接着シート３の剥離動作をさらにスムーズに行うことができる。しかも、フック本体２の左右方向から接着シート３が見え難くなり、商品としての見栄えや機能性も向上させることができる。
【００３８】
なお、前記第１の実施の形態では、フック本体２の裏面の上下方向の全長Ｌを４７ｍｍに、左右方向の幅Ｓを２０ｍｍにそれぞれ設定し、接着シール３の上下方向の全長Ｍを３３ｍｍに、左右方向の幅Ｎは１７ｍｍにそれぞれ設定したが、図７及び図８に示すように、上下方向に短い自己粘着式フック４にフック本体４１及び接着シール５が用いられていてもよい。具体的には、フック本体４１の裏面の上下方向の全長Ｌは３３ｍｍに、左右方向の幅Ｓは２０ｍｍにそれぞれ設定され、接着シール５の上下方向の全長Ｍは２３ｍｍに、左右方向の幅Ｎは１７ｍｍにそれぞれ設定されている。更に、フック本体４１の裏面における上下左右の周縁の非貼着部位４０１，４０２，４０３，４０４のうち、上側縁の非貼着部位４０１の上下方向の長さＡは、１．５ｍｍに設定され、フック本体４１の裏面の上下方向の全長Ｌの約４．５％を占めている。また、接着シート５の上下方向の全長Ｍは、フック本体４１の裏面の上下方向の全長Ｌの約７０％を占めている。また、フック本体４１の裏面の下側縁の非貼着部位４０２の上下方向の長さＢは、８．５ｍｍに設定され、フック本体４１の裏面の上下方向の全長Ｌの約２６％を占めている。更に、接着シート５の糊殺し部５４の上下方向の長さＸは、２ｍｍに設定され、当該接着シート５の左右方向の幅Ｎの約１２％を占めている。なお、図中４２は垂直面と平行な板状のベース基板、４３はベース基板４２の下端中央位置から前方へ突出したのちに斜め上向きに突出するフック片、４４はフック本体４１の裏面の下側縁の非貼着部位４０２において左右方向へ直線状に延びる突起である。この場合においても、第１の実施の形態と同様の作用効果が得られる。
【００３９】
次に、本発明の第２の実施の形態を図９〜図１３に基づいて説明する。
【００４０】
本実施の形態では、フック本体の裏面の左右方向の幅を若干広げた大型の自己粘着式フックを用いている。
【００４１】
図９は本発明の第２の実施の形態に係る自己粘着式フックの斜視図、図１０は自己粘着式フックの正面図、図１１は自己粘着式フックの平面図、図１２は自己粘着式フックの背面図、図１３は自己粘着式フックの側面図をそれぞれ示している。
【００４２】
図９〜図１３において、６は本発明の第１の実施の形態に係る自己粘着式フックであって、この自己粘着式フック６は、フック本体６１と、このフック本体６１の裏面に取り付けられ、左右の分割片７１，７１に分割された接着シート７とを備えている。フック本体６１は、垂直面と平行な板状のベース基板６２と、このベース基板６２の下端中央位置から前方へ円弧状に膨らんで上向きに突出するフック片６３とを備えている。ベース基板６２とフック片６３とは、ＡＢＳ樹脂を素材にして一体成形されている。
【００４３】
接着シート７（各分割片７１）も、前記第１の実施の形態の接着シート３と同様に３層構造よりなり、鏡面のような凹凸のない壁面Ｗ１に対し離着自在に繰り返し貼着される。
【００４４】
接着シート７は、フック本体６１の裏面に対しその上下左右の周縁にそれぞれ非貼着部位６０１，６０２，６０３，６０４を存した状態、つまり上下左右の周縁の非貼着部位６０１〜６０４を除いた位置で、かつ互いに隣接する分割片７１，７１同士の間において上下方向へ連続する隙間６０５を存した状態で貼着されている。また、接着シート７の各分割片７１の下端部には、貼着対象Ｗの壁面Ｗ１に対し非貼着となる糊殺し部７４が設けられている。
【００４５】
そして、図１２に示すように、フック本体６１の裏面の上下方向の全長Ｌは４６ｍｍに、左右方向の幅Ｓは３８ｍｍにそれぞれ設定されている。また、接着シール７の各分割片７１の上下方向の全長Ｍは３３ｍｍに、左右方向の幅Ｎは１７ｍｍにそれぞれ設定されている。
【００４６】
フック本体６１の裏面における上下左右の周縁の非貼着部位６０１，６０２，６０３，６０４のうち、上側縁の非貼着部位６０１の上下方向の長さＡは、２．０ｍｍに設定され、フック本体６１の裏面の上下方向の全長Ｌの約４．３％を占めている。また、各分割片７１の上下方向の全長Ｍは、フック本体６１の裏面の上下方向の全長Ｌの約７１％を占めている。また、フック本体６１の裏面の下側縁の非貼着部位６０２の上下方向の長さＢは、１１ｍｍに設定され、フック本体６１の裏面の上下方向の全長Ｌの約２４％を占めている。また、各分割片７１の糊殺し部７４の上下方向の長さＸは、２ｍｍに設定され、当該各分割片７１の左右方向の幅Ｎの約１２％を占めている。更に、分割片７１，７１同士の間の隙間６０５の左右方向の幅Ｔは、２ｍｍに設定され、左右両側縁の非貼着部位６０３，６０４の左右方向の幅Ｃは、それぞれ１ｍｍに設定されている。
【００４７】
また、フック本体６１の裏面の下側縁の非貼着部位６０２には、左右方向へ直線状に延びる突起６４が設けられている。この突起６４は、貼着対象Ｗの壁面Ｗ１に対し各分割片７１を貼着する際の圧着により圧縮した当該各分割片７１の層厚と一致する突出量に設定されている。
【００４８】
したがって、本実施の形態では、フック本体６１の裏面に対しその上下左右の周縁に非貼着部位６０１〜６０４を存して接着シート７（各分割片７１）が貼着されているとともに、その各分割片７１の下端部に貼着対象Ｗの壁面Ｗ１に対し非粘着となる糊殺し部７４が設けられているので、接着シート７を貼着対象Ｗの壁面Ｗ１から剥離する際にフック本体６１のフック片６３を把持して引っ張れば、各分割片７１の下端部の糊殺し部７４により当該各分割片７１の下端部が壁面Ｗ１から容易に浮き上がって、接着シート７の剥離を誘起する動作の起点となり、接着シート７の剥離動作がフック本体６１に阻まれることなくスムーズに行える。これにより、各分割片７１の糊殺し部７４から剥離し始めた剥離動作が接着シート７の全体に伝播し易いものとなり、接着シート７の変形や破断を無くして、女性や子供でも接着シート７の剥離動作を簡単に行うことができる。
【００４９】
しかも、左右に分割した接着シート７の各分割片７１が、その互いに左右方向で隣接する分割片７１，７１同士の間において上下方向へ連続する隙間６０５を存した状態でフック本体６１の裏面に対し貼着されているので、接着シート７を貼着対象Ｗの壁面Ｗ１から剥離する際にフック本体６１のフック片６３を把持して引っ張れば、各分割片７１の下端部の糊殺し部７４が当該各分割片７１の剥離を誘起する動作の起点となって、各分割片７１の剥離動作がそれぞれ分割された左右方向の幅に確実に伝播し易いものとなり、接着シート７の剥離動作をスムーズに行うことができる。
【００５０】
なお、本発明は、前記各実施の形態に限定されるものではなく、その他種々の変形例を包含している。例えば、前記第２の実施の形態では、フック本体６１の裏面の左右方向の幅Ｓを広げた大型の自己粘着式フック６を用いた場合について述べたが、図１４及び図１５に示すように、フック本体８１の裏面の左右方向の幅Ｓを広げかつ上下方向の全長Ｌも延ばした大型の自己粘着式フック８にも適用できるのはいうまでもない。具体的には、フック本体８１の裏面の上下方向の全長Ｌは５５ｍｍに、左右方向の幅Ｓは４０ｍｍにそれぞれ設定され、接着シール９の各分割片９１の上下方向の全長Ｍは３３ｍｍに、左右方向の幅Ｎは１７ｍｍにそれぞれ設定されている。更に、フック本体８１の裏面における上下左右の周縁の非貼着部位８０１，８０２，８０３，８０４のうち、上側縁の非貼着部位８０１の上下方向の長さＡは、３．０ｍｍに設定され、フック本体８１の裏面の上下方向の全長Ｌの約５．５％を占めている。また、接着シート９の各分割片９１の上下方向の全長Ｍは、フック本体８１の裏面の上下方向の全長Ｌの約６０％を占めている。また、フック本体８１の裏面の下側縁の非貼着部位８０２の上下方向の長さＢは、１９ｍｍに設定され、フック本体８１の裏面の上下方向の全長Ｌの約３５％を占めている。更に、接着シート９の各分割片９１の糊殺し部９４の上下方向の長さＸは、２ｍｍに設定され、当該各分割片９１の左右方向の幅Ｎの約１２％を占めている。なお、図中８２は垂直面と平行な板状のベース基板、８３はベース基板８２の下端中央位置から前方へ突出したのちに斜め上向きに突出するフック片、８４はフック本体８１の裏面の下側縁の非貼着部位８０２において左右方向へ直線状に延びる突起である。この場合においても、第２の実施の形態と同様の作用効果が得られる。
【００５１】
また、前記各実施の形態では、フック本体２，４１，６１，８１の上側縁の非貼着部位２０１，４０１，６０１，８０１の上下方向の長さＡがフック本体２，４１，６１，８１の裏面の上下方向の全長Ｌの約３．２％，約４．５％，約４．３％，約５．５％をそれぞれ占めたが、これに限定されるものではなく、女性や子供でも接着シートの剥離動作を簡単に行えるようにする上で、フック本体の上側縁の非貼着部位の上下方向の長さがフック本体の裏面の上下方向の全長の約３〜６％の範囲を占めるように設定されていればよい。
【００５２】
また、前記各実施の形態では、接着シート３，５，７，９の上下方向の全長Ｍがフック本体２，４１，６１，８１の裏面の上下方向の全長Ｌの約７０％，約７１％，約６０％をそれぞれ占めたが、女性や子供でも接着シートの剥離動作を簡単に行えるようにする上で、接着シートの上下方向の全長がフック本体の裏面の上下方向の全長の５５〜７５％の範囲を占めるように設定されていればよい。
【００５３】
また、前記各実施の形態では、フック本体２，４１，６１，８１の裏面の下側縁の非貼着部位２０２，４０２，６０２，８０２の上下方向の長さＢが、フック本体２，４１，６１，８１の裏面の上下方向の全長Ｌの約２７％，約２６％，約２４％，約３５％をそれぞれ占めたが、女性や子供でも接着シートの剥離動作を簡単に行えるようにする上で、フック本体の裏面の下側縁の非貼着部位の上下方向の長さが、フック本体の裏面の上下方向の全長の約２２〜３６％の範囲を占めるように設定されていればよい。
【００５４】
また、前記各実施の形態では、接着シート３，５又は各分割片７１，９１の糊殺し部３４，５４，７４，９４の上下方向の長さＸが、当該接着シート３，５又は各分割片７１，９１の左右方向の幅Ｎの約１２％をそれぞれ占めたが、女性や子供でも接着シートの剥離動作を簡単に行えるようにする上で、接着シート又は各分割片の糊殺し部の上下方向の長さが、当該接着シート又は各分割片の左右方向の幅の約１０〜２５％の範囲を占めるように設定されていればよい。
【００５５】
また、前記各実施の形態では、接着シート３，５をアクリルフォーム粘着層３１とポリウレタン自己粘着層３２とこの両者間に介在させた飽和ポリエステル樹脂層３３とで３層構造としたが、接着シートがアクリルフォーム粘着層とポリウレタン自己粘着層との２層構造で構成されていてもよい。
【００５６】
更に、前記第２の実施の形態では、接着シート７，９を左右で２つの分割片７１，９１に分割したが、接着シートが左右で３つ以上の分割片に分割されていてもよく、その場合には、互いに隣接する左右の分割片同士の間に上下方向へ連続する隙間が設けられていればよい。
【符号の説明】
【００５７】
１      自己粘着式フック
２      フック本体
２０１  上側縁の非貼着部位
２０２  下側縁の非貼着部位
２０３  左側縁の非貼着部位
２０４  右側縁の非貼着部位
２１    ベース基板
２２    フック片
２３    突起
３      接着シート
３１    アクリルフォーム粘着層
３２    ポリウレタン自己粘着層
３４    糊殺し部
４      自己粘着式フック
４０１  上側縁の非貼着部位
４０２  下側縁の非貼着部位
４０３  左側縁の非貼着部位
４０４  右側縁の非貼着部位
４１    フック本体
４２    ベース基板
４３    フック片
４４    突起
５      接着シート
５４    糊殺し部
６      自己粘着式フック
６０１  上側縁の非貼着部位
６０２  下側縁の非貼着部位
６０３  左側縁の非貼着部位
６０４  右側縁の非貼着部位
６１    フック本体
６２    ベース基板
６３    フック片
６４    突起
７      接着シート
７４    糊殺し部
８      自己粘着式フック
８０１  上側縁の非貼着部位
８０２  下側縁の非貼着部位
８０３  左側縁の非貼着部位
８０４  右側縁の非貼着部位
８１    フック本体
８２    ベース基板
８３    フック片
８４    突起
９      接着シート
９４    糊殺し部
Ａ      フック本体の裏面の上側縁の非貼着部位の上下方向の長さ
Ｂ      フック本体の裏面の下側縁の非貼着部位の上下方向の長さ
Ｌ      フック本体の裏面の上下方向の全長
Ｍ      接着シート（分割片）の上下方向の全長
Ｓ      フック本体の裏面の左右方向の幅
Ｗ      粘着対象
Ｗ１    壁面
Ｘ      糊殺し部の上下方向の長さ
【図１】
2016002403.tif 000003
【図２】
2016002403.tif 000004
【図３】
2016002403.tif 000005
【図４】
2016002403.tif 000006
【図５】
2016002403.tif 000007
【図６】
2016002403.tif 000008
【図７】
2016002403.tif 000009
【図８】
2016002403.tif 000010
【図９】
2016002403.tif 000011
【図１０】
2016002403.tif 000012
【図１１】
2016002403.tif 000013
【図１２】
2016002403.tif 000014
【図１３】
2016002403.tif 000015
【図１４】
2016002403.tif 000016
【図１５】
2016002403.tif 000017